(57)【要約】【課題】コンテンツに対してなされた評価結果の分析を効率的かつ精度良く行うこと。【解決手段】本発明は、コンテンツに含まれる各シーンに対して評価者３４から得られる評価結果を分析する装置であって、コンテンツに含まれる各発声内容やシーンの記述をテキスト化するテキスト化部１２を備えている。また、コンテンツを見ている各評価者３４に与えられたダイヤル装置４０から出力される評価結果に関連する情報を含む回動信号を取得するデータ収集部１６を備えている。更に、回動信号を座標値に変換する座標変換部２２と、座標値を、経過時間に沿ってプロットすることによって得られるトレンドグラフを表示画面２８から表示させるグラフ化部２４と、テキスト化情報をトレンドグラフ上の対応する位置に関連付けて配置して、トレンドグラフとともに表示画面から表示させる合成表示制御部２７とを備える。【選択図】      図１
2006270515.tif 000002
【特許請求の範囲】
【請求項１】
コンテンツに含まれる各シーンに対して評価者から得られる評価結果を分析する装置であって、
前記コンテンツに含まれる画像の記述、又は前記コンテンツに含まれる音声をテキスト化し、各テキスト化情報を、前記コンテンツが開始されてから、対応する画像又は音声が表れたタイミングまでの経過時間に関連付けて第１の記憶装置に書き込み記憶させるテキスト化手段と、
前記評価者からの評価ポイントの入力を受け付ける評価ポイント受付手段と、
前記評価ポイント受付手段に入力された評価ポイントを、前記コンテンツが開始されてから、前記評価ポイント受付手段に前記評価ポイントが入力されたタイミングまでの経過時間に関連付けて第２の記憶装置に書き込み記憶させる把握手段と、
前記第２の記憶装置に記憶された評価ポイントを、前記経過時間に対応させてプロットすることによって得られるトレンドグラフを表示画面から表示させるグラフ化手段と、
前記トレンドグラフにおける任意位置に対応する経過時間におけるテキスト化情報を前記第１の記憶手段から取得し、取得したテキスト化情報を、前記トレンドグラフにおける前記任意位置に関連付けて配置して、前記トレンドグラフとともに前記表示画面から表示させるテキスト表示手段とを備え、
前記評価ポイント受付手段は、前記コンテンツを見ている、又は聞いている評価者によって、前記評価者が肯定的と思ったシーンがあったときには、そのタイミングにおいて肯定度の度合いに応じた評価ポイントが入力され、前記評価者が否定的と思ったシーンがあったときには、そのタイミングにおいて否定度の度合いに応じた評価ポイントが入力されるようにしたコンテンツの評価結果分析装置。
【請求項２】
コンテンツに含まれる各シーンに対して評価者から得られる評価結果を分析する装置であって、
前記コンテンツに含まれる画像の記述、又は前記コンテンツに含まれる音声をテキスト化し、各テキスト化情報を、前記コンテンツが開始されてから、対応する画像又は音声が表れたタイミングまでの経過時間に関連付けて第１の記憶装置に書き込み記憶させるテキスト化手段と、
回転式のダイヤルを備え、前記ダイヤルが操作された場合には、予め定めた基準位置からの回動量及び回動方向に応じた回動信号を出力するダイヤル装置と、
前記ダイヤル装置から出力された回動信号に基づいて、対応するダイヤル操作の前記基準位置からの回動量及び回動方向を把握し、前記把握した回動量及び回動方向を、前記コンテンツが開始されてから、前記回動信号が出力されたタイミングまでの経過時間に関連付けて第２の記憶装置に書き込み記憶させる把握手段と、
前記第２の記憶装置に記憶された回動量を、この回動量に対応する回動方向が正方向である場合には所定基準値よりも正側の座標値に、前記回動方向が前記正方向と反対方向である逆方向である場合には前記所定基準値よりも負側の座標値にそれぞれ変換する座標変換手段と、
前記座標値を、前記経過時間に対応させてプロットすることによって得られるトレンドグラフを表示画面から表示させるグラフ化手段と、
前記トレンドグラフにおける任意位置に対応する経過時間におけるテキスト化情報を前記第１の記憶手段から取得し、取得したテキスト化情報を、前記トレンドグラフにおける前記任意位置に関連付けて配置して、前記トレンドグラフとともに前記表示画面から表示させるテキスト表示手段とを備え、
前記ダイヤル装置は、前記コンテンツを見ている、又は聞いている評価者によって、前記評価者が肯定的と思ったシーンがあったときには、そのタイミングにおいて前記ダイヤルが前記正方向に肯定度の度合いに応じた回動量で回されることによって、前記評価者が否定的と思ったシーンがあったときには、そのタイミングにおいて前記ダイヤルが前記逆方向に否定度の度合いに応じた回動量が回されることによって前記回動信号を出力するようにしたコンテンツの評価結果分析装置。
【請求項３】
前記評価者が複数存在する場合には、前記ダイヤル装置を前記各評価者毎に備え、
前記把握手段は、前記経過時間に関連付けられた回動量及び回動方向を、各ダイヤル装置を操作した評価者毎に関連付けて前記第２の記憶装置に書き込み記憶させ、
前記座標変換手段は、前記評価者毎に前記回動量を前記座標値へ変換し、
前記グラフ化手段は、前記評価者毎の座標値を、前記経過時間に対応させてプロットすることによって、前記評価者毎に得られるトレンドグラフを前記表示画面から表示させるようにした請求項２に記載のコンテンツの評価結果分析装置。
【請求項４】
前記座標変換手段は、前記評価者毎に前記回動量を前記座標値に変換した後に、予め定めた同一グループに属する評価者の同じ経過時間における座標値を平均して、グループ毎の座標値に変換し、
前記グラフ化手段は、前記グループ毎の座標値を、前記経過時間に対応させてプロットすることによって、前記グループ毎に得られるトレンドグラフを表示画面から表示させるようにした請求項３に記載のコンテンツの評価結果分析装置。
【請求項５】
前記評価者が複数存在する場合には、前記ダイヤル装置を前記各評価者毎に備え、
前記把握手段は、前記経過時間に関連付けられた回動量及び回動方向を、各ダイヤル装置に関連付けて前記第２の記憶装置に書き込み記憶させ、
前記座標変換手段は、前記各ダイヤル装置毎に前記回動量を前記座標値へ変換し、しかる後に、同じ経過時間における前記各ダイヤル装置の座標値を平均し、平均後の座標値を前記グラフ化手段に渡すようにした請求項２に記載のコンテンツの評価結果分析装置。
【請求項６】
前記トレンドグラフにおける任意位置とは、前記トレンドグラフにおけるピーク位置又はボトム位置を含む請求項１乃至５のうち何れか１項に記載のコンテンツの評価結果分析装置。
【請求項７】
コンテンツに含まれる各シーンに対して評価者から得られる評価結果を分析する方法であって、
前記コンテンツに含まれる画像の記述、又は前記コンテンツに含まれる音声をテキスト化し、各テキスト化情報を、前記コンテンツが開始されてから、対応する画像又は音声が表れたタイミングまでの経過時間に関連付けて第１の記憶装置に書き込み記憶させるステップと、
前記コンテンツを見ている、又は聞いている評価者が、肯定的と思ったシーンがあったときには、そのタイミングにおいて肯定度の度合いに応じた評価ポイントを入力し、否定的と思ったシーンがあったときには、そのタイミングにおいて否定度の度合いに応じた評価ポイントを入力するステップと、
前記入力された評価ポイントを、前記コンテンツが開始されてから、前記評価ポイントが入力されたタイミングまでの経過時間に関連付けて第２の記憶装置に書き込み記憶させるステップと、
前記第２の記憶装置に記憶された評価ポイントを、前記経過時間に対応させてプロットすることによって得られるトレンドグラフを表示画面から表示させるステップと、
前記トレンドグラフにおける任意位置に対応する経過時間におけるテキスト化情報を前記第１の記憶手段から取得し、取得したテキスト化情報を、前記トレンドグラフにおける前記任意位置に関連付けて配置して、前記トレンドグラフとともに前記表示画面から表示させるステップと
を備えたコンテンツの評価結果分析方法。
【請求項８】
コンテンツに含まれる各シーンに対して評価者から得られる評価結果を分析する方法であって、
前記コンテンツに含まれる画像の記述、又は前記コンテンツに含まれる音声をテキスト化し、各テキスト化情報を、前記コンテンツが開始されてから、対応する画像又は音声が表れたタイミングまでの経過時間に関連付けて第１の記憶装置に書き込み記憶させるステップと、
回転式のダイヤルを備え、前記ダイヤルが操作された場合には、予め定めた基準位置からの回動量及び回動方向に応じた回動信号を出力するダイヤル装置を、前記評価者に与えておき、前記コンテンツを見ている、又は聞いている評価者が、肯定的と思った発言があったときには、そのタイミングにおいて前記ダイヤルが正方向に肯定度の度合いに応じた回動量で回され、前記評価者が否定的と思った発言があったときには、そのタイミングにおいて前記ダイヤルが逆方向に否定度の度合いに応じた回動量が回されることによって前記ダイヤル装置から出力される回動信号を取得するステップと、
前記取得した回動信号に基づいて、対応するダイヤル操作の前記基準位置からの回動量及び回動方向を把握し、前記把握した回動量及び回動方向を、前記コンテンツが開始されてから、前記回動信号が出力されたタイミングまでの経過時間に関連付けて第２の記憶装置に書き込み記憶させるステップと、
前記第２の記憶装置に記憶された回動量を、この回動量に対応する回動方向が正方向である場合には所定基準値よりも正側の座標値に、前記回動方向が前記正方向と反対方向である逆方向である場合には前記所定基準値よりも負側の座標値にそれぞれ変換するステップと、
前記座標値を、前記経過時間に沿ってプロットすることによって得られるトレンドグラフを表示画面から表示させるステップと、
前記トレンドグラフにおける任意位置に対応する経過時間におけるテキスト化情報を前記第１の記憶手段から取得し、取得したテキスト化情報を、前記トレンドグラフにおける前記任意位置に関連付けて配置して、前記トレンドグラフとともに前記表示画面から表示させるステップと
を備えたコンテンツの評価結果分析方法。
【請求項９】
前記評価者が複数存在する場合には、前記ダイヤル装置を前記各評価者毎に備え、
前記第２の記憶装置に書き込み把握させるステップでは、前記経過時間に関連付けられた回動量及び回動方向を、各ダイヤル装置を操作した評価者毎に関連付けて前記第２の記憶装置に書き込み記憶させ、
前記変換するステップでは、前記評価者毎に前記回動量を前記座標値へ変換し、
前記トレンドグラフを表示画面から表示させるステップでは、前記評価者毎の座標値を、前記経過時間に対応させてプロットすることによって、前記評価者毎に得られるトレンドグラフを前記表示画面から表示させるようにした請求項８に記載のコンテンツの評価結果分析方法。
【請求項１０】
前記変換するステップでは、前記評価者毎に前記回動量を前記座標値に変換した後に、予め定めた同一グループに属する評価者の同じ経過時間における座標値を平均して、グループ毎の座標値に変換し、
前記トレンドグラフを表示画面から表示させるステップでは、前記グループ毎の座標値を、前記経過時間に対応させてプロットすることによって、前記グループ毎に得られるトレンドグラフを表示画面から表示させるようにした請求項９に記載のコンテンツの評価結果分析方法。
【請求項１１】
前記評価者が複数存在する場合には、前記ダイヤル装置を前記各評価者毎に備え、
前記第２の記憶装置に書き込み把握させるステップでは、前記経過時間に関連付けられた回動量及び回動方向を、各ダイヤル装置に関連付けて前記第２の記憶装置に書き込み記憶させ、
前記変換するステップでは、前記各ダイヤル装置毎に前記回動量を前記座標値へ変換し、しかる後に、同じ経過時間における前記各ダイヤル装置の座標値を平均し、平均後の座標値を前記トレンドグラフを表示画面から表示させるステップに渡すようにした請求項８に記載のコンテンツの評価結果分析方法。
【請求項１２】
前記トレンドグラフにおける任意位置とは、前記トレンドグラフにおけるピーク位置又はボトム位置を含む請求項７乃至１１のうち何れか１項に記載のコンテンツの評価結果分析方法。
【発明の詳細な説明】
【技術分野】
【０００１】
本発明は、例えば討論番組等のコンテンツの各シーンに対して評価者から得られる評価結果を分析する装置及び方法に関し、更に詳しくは、具体的にどのような発言に対してどの程度の肯定的な、あるいは否定的な評価があったのかを分析するのに好適なコンテンツの評価結果分析装置及び方法に関するものである。
【背景技術】
【０００２】
例えばラジオ番組、バラエティ番組、国会中継、討論番組等において、政治家や評論家のどのような発言が、視聴者に対してどうような、あるいはどの程度のインパクトを与えたかを調査することは従来からなされている。
【０００３】
このような調査を行う方法の一例について以下に説明する。
【０００４】
まず、無作為、あるいは性別、職業、居住地、年齢等の構成バランスを考慮して選ばれた複数（例えば２５〜３０人）の評価者に対して、図１２に示すようなダイヤル装置４０を与えておく。そして、評価者に対して、調査対象とする国会中継や、討論番組等のビデオを見せながら、評価者が肯定的と思った発言があったときには、そのタイミングにおいて、ダイヤル装置４０のダイヤル４２を時計回り方向（正方向）に回してもらい、否定的と思った発言があったときには、そのタイミングにおいて、ダイヤル４２を反時計回り方法（逆方向）に回してもらう。このとき、評価者が感じたインパクトが大きい場合には、それに応じて大きく回してもらい、さほどインパクトが大きくない場合には、僅かに回してもらうことによって、回動量とインパクトの度合いとが対応するようにダイヤル４２を操作してもらう。
【０００５】
このようにダイヤル４２が操作されると、ダイヤル装置４０からは、ダイヤル４２の基準位置４４からの回動量及び回動方向に応じた回動信号が出力される。各ダイヤル装置４０からの回動信号は、図示しないコンピュータに取り込まれる。そしてこのコンピュータでは、各ダイヤル装置４０からの回動信号に基づいて、各ダイヤル装置４０のダイヤル４２の基準位置４４からの回動量及び回動方向が把握され、この把握された回動量及び回動方向が、ビデオ（動画コンテンツ）が開始されてから、回動信号が出力されたタイミングまでの経過時間に関連付けてハードディスク等の記憶装置に書き込まれる。
【０００６】
更に、この記憶装置に記憶された回動量及び回動方向に対して、この回動量に対応する回動方向が正方向である場合には基準値よりも正側の座標値に、回動方向が逆方向である場合には基準値よりも負側の座標値にそれぞれ変換される。そして、このようの変換された座標値（以降、「スコア」とも称する）を、経過時間に沿ってプロットすることによって、図１３に示すようなトレンドグラフが得られる。
【０００７】
このようなトレンドグラフを見ることによって、どのシーンがどの程度肯定的に評価され、どのシーンがどの程度否定的に評価されたか、どのシーンが評価の分岐点であったか等を大まかに分析することができる。
【発明の開示】
【発明が解決しようとする課題】
【０００８】
しかしながら、このような従来のコンテンツの評価結果分析方法では、以下のような問題がある。
【０００９】
図１４（ｂ）は、図１４（ａ）に示すトレンドグラフの一部を詳細に示す図である。すなわち、トレンドグラフは、緩やかに上昇したり、降下することは稀であって、一般には、瞬間瞬間で上昇と降下を激しく繰り返している。つまり、発言の一つ一つに対して得られた評価者のインパクトが敏感に反映されている。したがって、より厳密な分析を行うためには、トレンドグラフ上に出現するそれぞれのピーク位置やボトム位置がどの発言に対応しているかを把握する必要がある。
【００１０】
ところが、従来の方法では、トレンドグラフと発言との対応付けがなされておらず、トレンドグラフ上の各ピーク位置やボトム位置がどの発言に対応しているのかを把握することは困難である。
【００１１】
トレンドグラフ上の各ピーク位置やボトム位置がどの発言に対応しているのかを把握するために従来は、得られたトレンドグラフを手元に置き、分析者が、同じビデオ（動画コンテンツ）を再生装置を用いて再生し、トレンドグラフの各ピーク位置及びボトム位置の出現する経過時間に対応する箇所で再生を一時停止させ、発言内容を書き取る等により記録する手法が取られている。
【００１２】
しかしながら、この方法では、分析対象としているコンテンツが短い場合であればさほど労力を要さずにできるかもしれないが、特に国会中継や討論番組等といった長時間に及ぶものに対しては、多大な労力を要するという問題がある。
【００１３】
また、トレンドグラフにおいて上昇と下降とが激しく繰り返されるようなシーンでは、秒単位の精度で、再生されたコンテンツと、トレンドグラフとを突き合わせる必要がある。このような場合、再生装置固有の機器性能による再生時間の実時間からのズレも無視できなくなる。例えば、トレンドグラフでは経過時間１０分００秒において上昇が開始され、１０分０１秒において下降している場合、再生開始時から１０分後に実時間と１秒ズレるような性能の再生装置で再生した場合、評価者によって肯定的と評価された発言が、否定的であったと逆の分析結果であったと判断されてしまうことになる。
【００１４】
このような再生装置固有の機器性能による再生時間の実時間からのズレは、コンテンツの後半に進むにつれて累積されて大きくなって行くので、特に国会中継や討論番組等といった長時間に及ぶコンテンツを分析する場合には、精度の高い分析結果を得ることが極めて困難であるという問題がある。
【００１５】
本発明はこのような事情に鑑みてなされたものであり、トレンドグラフ上のどの時点においてどのような発言があったのかを精度良く、かつ容易に突合することが可能なコンテンツの評価結果分析装置及び方法を提供することを目的とする。
【課題を解決するための手段】
【００１６】
上記の目的を達成するために、本発明では、以下のような手段を講じる。
【００１７】
すなわち、請求項１の発明は、コンテンツに含まれる各シーンに対して評価者から得られる評価結果を分析する装置であって、コンテンツに含まれる画像の記述、又はコンテンツに含まれる音声をテキスト化し、各テキスト化情報を、コンテンツが開始されてから、対応する画像又は音声が表れたタイミングまでの経過時間に関連付けて第１の記憶装置に書き込み記憶させるテキスト化手段を備える。また、評価者からの評価ポイントの入力を受け付ける評価ポイント受付手段と、評価ポイント受付手段に入力された評価ポイントを、コンテンツが開始されてから、評価ポイント受付手段に評価ポイントが入力されたタイミングまでの経過時間に関連付けて第２の記憶装置に書き込み記憶させる把握手段とを備える。更には、第２の記憶装置に記憶された評価ポイントを、経過時間に対応させてプロットすることによって得られるトレンドグラフを表示画面から表示させるグラフ化手段と、トレンドグラフにおける任意位置に対応する経過時間におけるテキスト化情報を第１の記憶手段から取得し、取得したテキスト化情報を、トレンドグラフにおける任意位置に関連付けて配置して、トレンドグラフとともに表示画面から表示させるテキスト表示手段とを備える。そして、評価ポイント受付手段は、コンテンツを見ている、又は聞いている評価者によって、評価者が肯定的と思ったシーンがあったときには、そのタイミングにおいて肯定度の度合いに応じた評価ポイントが入力され、評価者が否定的と思ったシーンがあったときには、そのタイミングにおいて否定度の度合いに応じた評価ポイントが入力される。
【００１８】
従って、請求項１の発明のコンテンツの評価結果分析装置においては、以上のような手段を講じることにより、トレンドグラフ上のどの時点においてどのような発言や画像があったのかを精度良く、かつ容易に突合することが可能となる。
【００１９】
請求項２の発明は、コンテンツに含まれる各シーンに対して評価者から得られる評価結果を分析する装置であって、テキスト化手段と、ダイヤル装置と、把握手段と、座標変換手段と、グラフ化手段と、テキスト表示手段とを備えている。
【００２０】
そして、テキスト化手段は、コンテンツに含まれる画像の記述、又はコンテンツに含まれる音声をテキスト化し、各テキスト化情報を、コンテンツが開始されてから、対応する画像又は音声が表れたタイミングまでの経過時間に関連付けて第１の記憶装置に書き込み記憶させる。また、ダイヤル装置は、回転式のダイヤルを備えており、ダイヤルが操作された場合には、予め定めた基準位置からの回動量及び回動方向に応じた回動信号を出力する。
【００２１】
把握手段は、ダイヤル装置から出力された回動信号に基づいて、対応するダイヤル操作の基準位置からの回動量及び回動方向を把握し、把握した回動量及び回動方向を、コンテンツが開始されてから、回動信号が出力されたタイミングまでの経過時間に関連付けて第２の記憶装置に書き込み記憶させる。
【００２２】
座標変換手段は、第２の記憶装置に記憶された回動量を、この回動量に対応する回動方向が正方向である場合には所定基準値よりも正側の座標値に、回動方向が正方向と反対方向である逆方向である場合には所定基準値よりも負側の座標値にそれぞれ変換する。また、グラフ化手段は、座標値を、経過時間に対応させてプロットすることによって得られるトレンドグラフを表示画面から表示させ、テキスト表示手段は、トレンドグラフにおける任意位置に対応する経過時間におけるテキスト化情報を第１の記憶手段から取得し、取得したテキスト化情報を、トレンドグラフにおける前記任意位置に関連付けて配置して、トレンドグラフとともに表示画面から表示させる。
【００２３】
そして、ダイヤル装置は、コンテンツを見ている、又は聞いている評価者によって、評価者が肯定的と思ったシーンがあったときには、そのタイミングにおいてダイヤルが正方向に肯定度の度合いに応じた回動量で回されることによって、評価者が否定的と思ったシーンがあったときには、そのタイミングにおいてダイヤルが逆方向に否定度の度合いに応じた回動量が回されることによって回動信号を出力する。
【００２４】
従って、請求項２の発明のコンテンツの評価結果分析装置においては、以上のような手段を講じることにより、ダイヤル装置を用いることによって、トレンドグラフ上のどの時点においてどのような発言や画像があったのかを精度良く、かつ容易に突合することが可能となる。
【００２５】
また、請求項３の発明は、請求項２に記載のコンテンツの評価結果分析装置において、評価者が複数存在する場合には、ダイヤル装置を各評価者毎に備える。そして、把握手段は、経過時間に関連付けられた回動量及び回動方向を、各ダイヤル装置を操作した評価者毎に関連付けて第２の記憶装置に書き込み記憶させる。更に、座標変換手段は、評価者毎に回動量を座標値へ変換する。更にまた、グラフ化手段は、評価者毎の座標値を、経過時間に対応させてプロットすることによって、評価者毎に得られるトレンドグラフを表示画面から表示させる。
【００２６】
従って、請求項３の発明のコンテンツの評価結果分析装置においては、以上のような手段を講じることにより、複数の評価者からそれぞれ独立した評価結果を得るとともに、各評価者のトレンドグラフを独立して表示することができる。その結果、複数の評価者によるトレンドグラフをそれぞれ分析することが可能となる。
【００２７】
請求項４の発明は、請求項３に記載のコンテンツの評価結果分析装置において、座標変換手段は、評価者毎に回動量を座標値に変換した後に、予め定めた同一グループに属する評価者の同じ経過時間における座標値を平均して、グループ毎の座標値に変換し、グラフ化手段は、グループ毎の座標値を、経過時間に対応させてプロットすることによって、グループ毎に得られるトレンドグラフを表示画面から表示させる。
【００２８】
従って、請求項４の発明のコンテンツの評価結果分析装置においては、以上のような手段を講じることにより、例えば複数の評価者を年齢、性別、地域、居住地、職業などといったグループ別に分類し、各グループ毎のトレンドグラフを得ることができるので、様々な見地からコンテンツの評価分析を行うことが可能となる。
【００２９】
請求項５の発明は、請求項２に記載のコンテンツの評価結果分析装置において、評価者が複数存在する場合には、ダイヤル装置を各評価者毎に備えている。そして、把握手段は、経過時間に関連付けられた回動量及び回動方向を、各ダイヤル装置に関連付けて第２の記憶装置に書き込み記憶させ、座標変換手段は、各ダイヤル装置毎に回動量を座標値へ変換し、しかる後に、同じ経過時間における各ダイヤル装置の座標値を平均し、平均後の座標値をグラフ化手段に渡す。
【００３０】
従って、請求項５の発明のコンテンツの評価結果分析装置においては、以上のような手段を講じることにより、複数の評価者からそれぞれ独立した評価結果を得ることができる。その結果、統計的により正確なトレンドグラフを得ることが可能となる。
【００３１】
請求項６の発明は、請求項１乃至５のうち何れか１項に記載のコンテンツの評価結果分析装置において、トレンドグラフにおける任意位置とは、トレンドグラフにおけるピーク位置又はボトム位置を含む。
【００３２】
従って、請求項６の発明のコンテンツの評価結果分析装置においては、以上のような手段を講じることにより、トレンドグラフにおいて、インパクトの強い発言があった時点である可能性が高い箇所であるピーク位置及びボトム位置において、どのような発言や画像があったのかを正確に把握することが可能となる。
【００３３】
請求項７の発明は、コンテンツに含まれる各シーンに対して評価者から得られる評価結果を分析する方法であって、コンテンツに含まれる画像の記述、又はコンテンツに含まれる音声をテキスト化し、各テキスト化情報を、コンテンツが開始されてから、対応する画像又は音声が表れたタイミングまでの経過時間に関連付けて第１の記憶装置に書き込み記憶させるステップを備える。また、コンテンツを見ている、又は聞いている評価者が、肯定的と思ったシーンがあったときには、そのタイミングにおいて肯定度の度合いに応じた評価ポイントを入力し、否定的と思ったシーンがあったときには、そのタイミングにおいて否定度の度合いに応じた評価ポイントを入力するステップを備える。更に、入力された評価ポイントを、コンテンツが開始されてから、評価ポイントが入力されたタイミングまでの経過時間に関連付けて第２の記憶装置に書き込み記憶させるステップを備える。更にまた、第２の記憶装置に記憶された評価ポイントを、経過時間に対応させてプロットすることによって得られるトレンドグラフを表示画面から表示させるステップと、トレンドグラフにおける任意位置に対応する経過時間におけるテキスト化情報を第１の記憶手段から取得し、取得したテキスト化情報を、トレンドグラフにおける任意位置に関連付けて配置して、トレンドグラフとともに表示画面から表示させるステップとを備える。
【００３４】
従って、請求項７の発明のコンテンツの評価結果分析方法においては、以上のような手段を講じることにより、トレンドグラフ上のどの時点においてどのような発言や画像があったのかを精度良く、かつ容易に突合することが可能となる。
【００３５】
請求項８の発明は、コンテンツに含まれる各シーンに対して評価者から得られる評価結果を分析する方法であって、まず、コンテンツに含まれる画像の記述、又はコンテンツに含まれる音声をテキスト化し、各テキスト化情報を、コンテンツが開始されてから、対応する画像又は音声が表れたタイミングまでの経過時間に関連付けて第１の記憶装置に書き込み記憶させる。次に、回転式のダイヤルを備え、ダイヤルが操作された場合には、予め定めた基準位置からの回動量及び回動方向に応じた回動信号を出力するダイヤル装置を、評価者に与えておき、コンテンツを見ている、又は聴いている評価者が、肯定的と思った発言があったときには、そのタイミングにおいてダイヤルが正方向に肯定度の度合いに応じた回動量で回され、評価者が否定的と思った発言があったときには、そのタイミングにおいてダイヤルが逆方向に否定度の度合いに応じた回動量が回されることによってダイヤル装置から出力される回動信号を取得する。更に、取得した回動信号に基づいて、対応するダイヤル操作の基準位置からの回動量及び回動方向を把握し、把握した回動量及び回動方向を、コンテンツが開始されてから、回動信号が出力されたタイミングまでの経過時間に関連付けて第２の記憶装置に書き込み記憶させる。そして、第２の記憶装置に記憶された回動量を、この回動量に対応する回動方向が正方向である場合には所定基準値よりも正側の座標値に、回動方向が正方向と反対方向である逆方向である場合には所定基準値よりも負側の座標値にそれぞれ変換し、座標値を、経過時間に沿ってプロットすることによって得られるトレンドグラフを表示画面から表示させる。更に、トレンドグラフにおける任意位置に対応する経過時間におけるテキスト化情報を第１の記憶手段から取得し、取得したテキスト化情報を、トレンドグラフにおける前記任意位置に関連付けて配置して、トレンドグラフとともに表示画面から表示させる。
【００３６】
従って、請求項８の発明のコンテンツの評価結果分析方法においては、以上のような手段を講じることにより、トレンドグラフ上のどの時点においてどのような発言や画像があったのかを精度良く、かつ容易に突合することが可能となる。
【００３７】
請求項９の発明は、請求項８に記載のコンテンツの評価結果分析方法において、評価者が複数存在する場合には、ダイヤル装置を各評価者毎に備える。そして、第２の記憶装置に書き込み把握させる際には、経過時間に関連付けられた回動量及び回動方向を、各ダイヤル装置を操作した評価者毎に関連付けて第２の記憶装置に書き込み記憶させ、変換する際には、評価者毎に回動量を座標値へ変換し、トレンドグラフを表示画面から表示させる際には、評価者毎の座標値を、経過時間に対応させてプロットすることによって、評価者毎に得られるトレンドグラフを表示画面から表示させる。
【００３８】
従って、請求項９の発明のコンテンツの評価結果分析方法においては、以上のような手段を講じることにより、複数の評価者からそれぞれ独立した評価結果を得るとともに、各評価者のトレンドグラフを独立して表示することができる。その結果、複数の評価者によるトレンドグラフをそれぞれ分析することが可能となる。
【００３９】
請求項１０の発明は、請求項９に記載のコンテンツの評価結果分析方法において、変換する際には、評価者毎に回動量を座標値に変換した後に、予め定めた同一グループに属する評価者の同じ経過時間における座標値を平均して、グループ毎の座標値に変換し、トレンドグラフを表示画面から表示させる際には、グループ毎の座標値を、経過時間に対応させてプロットすることによって、グループ毎に得られるトレンドグラフを表示画面から表示させる。
【００４０】
従って、請求項１０の発明のコンテンツの評価結果分析方法においては、以上のような手段を講じることにより、例えば複数の評価者を年齢、性別、地域、居住地、職業などといったグループ別に分類し、各グループ毎のトレンドグラフを得ることができるので、様々な見地からコンテンツの評価分析を行うことが可能となる。
【００４１】
請求項１１の発明は、請求項８に記載のコンテンツの評価結果分析方法において、評価者が複数存在する場合には、ダイヤル装置を各評価者毎に備える。そして、第２の記憶装置に書き込み把握させる際には、経過時間に関連付けられた回動量及び回動方向を、各ダイヤル装置に関連付けて第２の記憶装置に書き込み記憶させ、変換する際には、各ダイヤル装置毎に回動量を座標値へ変換し、しかる後に、同じ経過時間における各ダイヤル装置の座標値を平均し、平均後の座標値をトレンドグラフを表示画面から表示させる。
【００４２】
従って、請求項１１の発明のコンテンツの評価結果分析方法においては、以上のような手段を講じることにより、複数の評価者からそれぞれ独立した評価結果を得ることができる。その結果、統計的により正確なトレンドグラフを得ることが可能となる。
【００４３】
請求項１２の発明は、請求項７乃至１１のうち何れか１項に記載のコンテンツの評価結果分析方法において、トレンドグラフにおける任意位置とは、トレンドグラフにおけるピーク位置又はボトム位置を含む。
【００４４】
従って、請求項１２の発明のコンテンツの評価結果分析方法においては、以上のような手段を講じることにより、トレンドグラフにおいて、インパクトの強い発言があった時点である可能性が高い箇所であるピーク位置及びボトム位置において、どのような発言があったのかを正確に把握することが可能となる。
【発明の効果】
【００４５】
本発明によれば、トレンドグラフ上のどの時点においてどのような発言があったのかを精度良く、かつ容易に突合することが可能なコンテンツの評価結果分析装置及び方法を実現することができる。
【発明を実施するための最良の形態】
【００４６】
以下に、本発明を実施するための最良の形態について図面を参照しながら説明する。
【００４７】
なお、以下の形態の説明に用いる図中の符号は、図１２と同一部分については同一符号を付して示すことにする。
【００４８】
（第１の実施の形態）  
図１は、本発明の第１の実施の形態に係るコンテンツの評価結果分析方法を適用したコンテンツ評価結果分析装置の構成例を示すブロック図である。
【００４９】
すなわち、同実施の形態に係るコンテンツ評価結果分析装置１０は、音声付動画コンテンツ、音声付ではない動画コンテンツ、音声付静止画コンテンツ、音声のみのコンテンツに含まれる各シーンに対して各評価者３４（＃１，＃２，・・・＃ｎ）から得られる評価結果を分析する装置であって、テキスト化部１２と、スクリプトデータ記憶装置１４と、データ収集部１６と、データ把握部１８と、データ記憶装置２０と、座標変換部２２と、グラフ化部２４と、スクリプトデータ合成部２６と、合成表示制御部２７と、表示画面２８と、各評価者３４（＃１，＃２，・・・＃ｎ）毎にそれぞれ備えられたダイヤル装置４０（＃１，＃２，・・・＃ｎ）とを備えている。
【００５０】
テキスト化部１２は、例えばハードディスクのような記憶媒体からなるコンテンツデータ記憶装置３０に格納されているコンテンツデータから、このコンテンツに含まれる各発言内容や、シーンに関する記述をテキスト化し、各テキスト化情報を、コンテンツが開始されてから、対応する内容が発言されたタイミングまでの経過時間に関連付けたスクリプトデータを作成する。図２は、スクリプトデータの一例を示す模式図である。これは、音声を含む動画コンテンツ（すなわち、音声付動画コンテンツ、音声付静止画コンテンツ、音声のみのコンテンツ）が開始されてからの経過時間毎になされた発言（スピーチ）を、話者毎に区別してテキスト化している例を示している。また、音声付ではない動画コンテンツの場合であっても、発言の代わりに、シーンに関する記述をテキスト化したデータをここでいうスクリプトデータとして用いることもできる。テキスト化部１２は、このようなスクリプトデータを、ハードディスク等の記憶媒体からなるスクリプトデータ記憶装置１４に書き込み記憶させる。
【００５１】
各ダイヤル装置４０（＃１，＃２，・・・＃ｎ）は、従来技術で説明したものと同様の構成をしており、コンテンツ再生装置３２から再生表示されるコンテンツを見聞している各評価者３４（＃１，＃２，・・・＃ｎ）のそれぞれによって操作される。
【００５２】
各評価者３４（＃１，＃２，・・・＃ｎ）には、コンテンツ再生装置３２から、コンテンツデータ記憶装置３０に記憶されている評価対象とするコンテンツのシーンの表示（動画又は静止画を伴う場合）、及び音声の出力（音声を伴う場合）がなされる。各評価者３４は、コンテンツ再生装置３２から表示あるいは出力されるコンテンツを見たり、聞いたりしながら、肯定的と思ったシーンになったときには、そのタイミングにおいて、ダイヤル装置４０のダイヤル４２を時計回り方向（正方向）に回し、否定的と思ったシーンになったときには、そのタイミングにおいて、ダイヤル４２を反時計回り方法（逆方向）に回す。このとき、インパクトが大きい場合には、それに応じて大きく回してもらい、さほどインパクトが大きくない場合には、僅かに回す。そして、そのシーンが終わると、評価者３４は、一旦ダイヤル４２を基準位置４４に戻し、それ以降も同様に、肯定的と思ったシーンになったときには、そのタイミングにおいて、ダイヤル装置４０のダイヤル４２を時計回り方向（正方向）に回し、否定的と思ったシーンになったときには、そのタイミングにおいて、ダイヤル４２を反時計回り方法（逆方向）に回す。そして、そのシーンが終わると、評者３４は、一旦ダイヤル４２を基準位置４４に戻す。なお、ダイヤル４２は、非操作時には、基準位置４４に自動的に戻るようにしても良い。このようにダイヤル４２が操作されると、ダイヤル装置４０は、ダイヤル４２の基準位置４４からの回動量及び回動方向に応じた回動信号を出力する。
【００５３】
データ収集部１６は、各ダイヤル装置４０（＃１，＃２，・・・＃ｎ）から出力された回動信号を収集し、データ把握部１８に送る。
【００５４】
データ把握部１８は、各ダイヤル装置４０からの回動信号に基づいて、各ダイヤル装置４０のダイヤル４２の基準位置４４からの回動量及び回動方向を把握し、この把握された回動量及び回動方向を、このコンテンツの再生が開始されてから、各回動信号が出力されたタイミングまでの経過時間に関連付けて、ダイヤル装置４０毎のデータとしてデータ記憶装置２０に書き込み記憶させる。
【００５５】
データ記憶装置２０は、ハードディスク等の記憶媒体からなる。
【００５６】
座標変換部２２は、データ記憶装置２０に記憶された各ダイヤル装置４０の回動量を、この回動量に対応する回動方向が正方向である場合には基準値よりも正側の座標値に、回動方向が逆方向である場合には基準値よりも負側の座標値にそれぞれ変換する。例えば基準値を５０とすると、正側の座標値は５０〜１００であり、負側の座標値は０〜５０とすることができる。この座標値を、以降「スコア」とも称する。図３は、あるダイヤル装置４０に関するスコアを、コンテンツが開始されてからの経過時間に関連付けたスコアデータテーブルの一例を示す図である。座標変換部２２は、図３に示すような経過時間とスコアとからなるスコアデータテーブルをダイヤル装置４０毎に作成して、グラフ化部２４及びスクリプトデータ合成部２６に出力する。
【００５７】
なお、座標変換部２２は、ユーザ指定により、更に、各ダイヤル装置４０による平均スコアからなるスコアテーブルを作成することも、予め定めた同一グループ（例えば、年齢別、男女別、職業別、地域別等）に属する評価者３４が操作したダイヤル装置４０による平均スコアからなるスコアテーブルを作成することもできる。このような平均スコアからなるスコアテーブルもまた、グラフ化部２４及びスクリプトデータ合成部２６に出力する。
【００５８】
グラフ化部２４は、座標変換部２２から出力された図３に示すようなスコアデータテーブルを用いて、経過時間をＸ軸、スコアをＹ軸としてプロットすることによって、例えば図４に示すようなトレンドグラフを表示画面２８から表示させる。なお、このトレンドグラフを、以降「パルスライン」とも称する。
【００５９】
スクリプトデータ合成部２６は、スクリプトデータ記憶装置１４からスクリプトデータを、座標変換部２２からスコアデータテーブルをそれぞれ取得し、これらを経過時間を合わせて合成する。図５は、このように合成されてできた合成データテーブルの一例を示す図であり、各発言がなされた時間と、それに対するスコアとを対応付けている。スクリプトデータ合成部２６は、このような合成データテーブルを作成すると、合成表示制御部２７に出力する。
【００６０】
合成表示制御部２７は、スクリプトデータ合成部２６から出力された合成データテーブルを用いて、表示画面２８から表示されているパルスライン上における任意の経過時間におけるスピーチテキストを取得し、取得したスピーチテキストを、パルスライン上の対応する位置に関連付けて配置し、パルスラインとともに表示画面２８から表示させる。図６は、このようにしてスピーチテキストが配置されて表示画面２８から表示されたパルスラインの一例を示す図である。このようにスピーチテキストを配置する経過時間は、ユーザによって指定されても良く、また、合成表示制御部２７が、合成データテーブルに含まれるスコアから、パルスラインのピーク位置Ｐやボトム位置Ｂを把握し、把握したピーク位置Ｐやボトム位置Ｂに対応する経過時間としても良い。
【００６１】
次に、以上のように構成した同実施の形態に係るコンテンツの評価結果分析方法を適用したコンテンツ評価結果分析装置１０の動作について説明する。
【００６２】
まず、本コンテンツ評価結果分析装置１０を用いて、コンテンツの評価結果の分析を行う場合には、テキスト化部１２によって、コンテンツデータ記憶装置３０に格納されているコンテンツデータから、このコンテンツに含まれる各発言内容又はシーンに関する記述がテキスト化される。更に、各テキスト化情報から、コンテンツが開始されてから、対応する内容がシーンが現れるタイミングまでの経過時間に関連付けられた図２に示すようなスクリプトデータが作成され、スクリプトデータ記憶装置１４に記憶される。なお、このようなスクリプトデータの作成、記憶は、後述する各評価者３４から評価結果の取得に先立って行っても、あるいは評価結果の取得後に行っても良い。
【００６３】
次に、図７に示すフローチャートを用いて、各評価者３４からの評価結果を取得する処理の流れについて説明する。
【００６４】
コンテンツの評価者３４は、例えば無作為、あるいは性別、職業、居住地、年齢等の構成バランスを考慮して選ばれた複数人（例えば２５〜３０人）からなる。各評価者３４（＃１，＃２，・・・，＃ｎ）にはそれぞれダイヤル装置４０（＃１，＃２，・・・，＃ｎ）が与えられる。なお、もちろん、単数の評価者３４であっても適用可能である。
【００６５】
そして、評価対象とするコンテンツを、コンテンツデータ記憶装置３０からコンテンツ再生装置３２に送り、再生することによって、各評価者３４（＃１，＃２，・・・，＃ｎ）に該コンテンツを見せる（Ｓ１）。
【００６６】
各評価者３４は、コンテンツ再生装置３２から出力されるコンテンツを見ながら、肯定的と思ったシーンに対しては、そのタイミングにおいて、ダイヤル装置４０のダイヤル４２を時計回り方向（正方向）に回す。一方、否定的と思ったシーンに対しては、そのタイミングにおいて、ダイヤル４２を反時計回り方法（逆方向）に回す。このとき、評価者が感じたインパクトが大きい場合には、それに応じて大きく回し、さほどインパクトが大きくない場合には、僅かに回すことによって、回動量とインパクトの度合いとが対応するようにダイヤル４２を操作する（Ｓ２）。
【００６７】
このようにダイヤル４２が操作されると、ダイヤル装置４０からは、ダイヤル４２の基準位置４４からの回動量及び回動方向に応じた回動信号が出力される（Ｓ３）。
【００６８】
各ダイヤル装置４０（＃１，＃２，・・・，＃ｎ）からそれぞれ出力された回動信号は、データ収集部１６によって一旦収集され、そこからデータ把握部１８に送られる。データ把握部１８では、各ダイヤル装置４０（＃１，＃２，・・・，＃ｎ）それぞれからの回動信号に基づいて、各ダイヤル装置４０（＃１，＃２，・・・，＃ｎ）それぞれのダイヤル４２の基準位置４４からの回動量及び回動方向が把握される。更に、この把握された回動量及び回動方向が、このコンテンツの出力が開始されてから、各回動信号が出力されたタイミングまでの経過時間に関連付けられて、ダイヤル装置４０毎のデータとしてデータ記憶装置２０に書き込まれ、ここに記憶される（Ｓ４）。
【００６９】
次に、座標変換部２２において、データ記憶装置２０に記憶された各ダイヤル装置４０の回動量が、この回動量に対応する回動方向が正方向である場合には基準値よりも正側の座標値に、回動方向が逆方向である場合には基準値よりも負側の座標値にそれぞれ変換される（Ｓ５）。例えば基準値を５０とすると、正側の座標値は５０〜１００であり、負側の座標値は０〜５０とすることができる。本明細書では、この座標値のことを「スコア」とも称している。
【００７０】
更に、座標変換部２２では、ステップＳ５で得たスコアから、図３に示すようなスコアデータテーブルがダイヤル装置４０毎に作成される（Ｓ６）。このようにして作成されたスコアデータテーブルは、座標変換部２２からグラフ化部２４及びスクリプトデータ合成部２６へと出力される。
【００７１】
なお、ユーザ指定があった場合（Ｓ７：Ｙｅｓ）には、座標変換部２２では、上述したようなスコアデータテーブルを、指定されたグループ毎に作成することも可能である。例えば、同じ年齢層に属する評価者３４によるスコアを平均して、年齢層毎のパルスコアテーブルを作成したりすることができる。このようにして、例えば男女別、職業別、地域別等、ユーザ側の要望に応じた任意のグループでのスコアテーブルが作成される（Ｓ８）。このようにして作成されたスコアデータテーブルもまた、座標変換部２２からグラフ化部２４及びスクリプトデータ合成部２６へと出力される。
【００７２】
次に、グラフ化部２４において、座標変換部２２から出力された図３に示すようなスコアデータテーブルにおける経過時間をＸ軸、スコアをＹ軸としたプロットがなされる。そして、このプロットの結果に基づいて、例えば図４に示すようなトレンドグラフであるパルスラインが表示画面２８から表示される（Ｓ９）。
【００７３】
一方、スクリプトデータ合成部２６によって、スクリプトデータ記憶装置１４からスクリプトデータが、座標変換部２２からスコアデータテーブルがそれぞれ取得され、これらが経過時間を合わせて合成され、例えば図５に示すような合成データテーブルが作成される（Ｓ１０）。この合成データテーブルは、スクリプトデータ合成部２６から合成表示制御部２７に出力される。
【００７４】
そして、合成表示制御部２７では、スクリプトデータ合成部２６から出力された合成データテーブルが用いられ、表示画面２８から表示されているパルスライン上における任意の経過時間におけるスピーチテキストが取得される(Ｓ１１)。更に、取得されたスピーチテキストが、パルスライン上の対応する位置に関連付けて配置され、例えば図６に示すようにパルスラインとともに表示画面２８から表示される（Ｓ１２）。なお、このようにスピーチテキストを配置する経過時間は、ユーザによって指定されても良く、また、合成表示制御部２７が、合成データテーブルに含まれるスコアから、パルスラインのピーク位置やボトム位置を把握し、把握したピーク位置Ｐやボトム位置Ｂに対応する経過時間としても良い。
【００７５】
上述したように、同実施の形態に係るコンテンツの評価結果分析方法を適用したコンテンツ評価結果分析装置１０においては、上記のような作用により、パルスライン上のどの時点においてどのような発言があったのかを精度良く、かつ容易に突合することが可能となる。以上により、コンテンツの評価分析を精度良く実施することが可能となる。
【００７６】
また、パルスラインは、各評価者毎に表示することも、例えば複数の評価者を年齢、性別、地域、居住地、職業などといったグループ別に表示することもできるので、様々な見地から動画コンテンツの評価分析を行うことが可能となる。
【００７７】
（第２の実施の形態）  
本発明の第２の実施の形態に係るコンテンツの評価結果分析方法を適用したコンテンツ評価結果分析装置は、第１の実施の形態に係るコンテンツの評価結果分析方法を適用したコンテンツ評価結果分析装置の変形例である。したがって、ここでは、第１の実施の形態と異なるについて説明し、重複説明を避ける。
【００７８】
本発明のコンテンツの評価結果分析方法を適用したコンテンツ評価結果分析装置は、第１の実施の形態に係るコンテンツ評価結果分析装置におけるダイヤル装置４０に代えて、図８に示すようなテンキー式入力装置４６や、図９に示すようなジョイスティック４８や、図１０に示すような入力装置５０を用いることも可能である。
【００７９】
ダイヤル装置４０に代えて図８に示すようなテンキー式入力装置４６を用いる場合には、各評価者３４は、コンテンツ再生装置３２から表示あるいは出力されるコンテンツを見たり、聞いたりしながら、肯定的と思ったシーンになったときには、そのタイミングにおいて、テンキー式入力装置４６を用いて、インパクトの大きさに応じて６〜９のうちのスコアを入力し、否定的と思ったシーンになったときには、そのタイミングにおいて、テンキー式入力装置４６を用いて、インパクトの大きさに応じて０〜４のうちのスコアを入力する。何も入力しない場合には、スコアは自動的に５とみなされる。５と入力しても良い。
【００８０】
テンキー式入力装置４６は、このようにしてスコアが入力されると、入力されたスコアに応じたスコア信号を生成し、データ収集部１６に出力する。データ収集部１６は、各ダイヤル装置４０（＃１，＃２，・・・＃ｎ）から出力されたスコア信号を収集し、データ把握部１８に送る。
【００８１】
データ把握部１８は、各テンキー式入力装置４６からのスコア信号からスコアを把握し、把握したスコアを、このコンテンツの再生が開始されてから、各スコア信号が出力されたタイミングまでの経過時間に関連付けて、テンキー式入力装置４６毎のデータとしてデータ記憶装置２０に書き込み記憶させる。
【００８２】
座標変換部２２は、データ記憶装置２０に記憶された各テンキー式入力装置４６のスコアを用いて、図１１に示すような経過時間とスコアとからなるスコアデータテーブルをテンキー式入力装置４６毎に作成して、グラフ化部２４及びスクリプトデータ合成部２６に出力する。
【００８３】
グラフ化部２４は、座標変換部２２から出力された図１１に示すようなスコアデータテーブルを用いて、経過時間をＸ軸、スコアをＹ軸としてプロットすることによってトレンドグラフを作成し、表示画面２８から表示させる。
【００８４】
スクリプトデータ合成部２６は、第１の実施の形態で説明したようにして合成データテーブルを作成し、合成表示制御部２７に出力する。
【００８５】
合成表示制御部２７は、第１の実施の形態で説明したようにしてスクリプトデータ合成部２６から出力された合成データテーブルを用いて、表示画面２８から表示されているパルスライン上における任意の経過時間におけるスピーチテキストを取得し、取得したスピーチテキストを、パルスライン上の対応する位置に関連付けて配置し、パルスラインとともに表示画面２８から表示させる。
【００８６】
ダイヤル装置４０に代えて図９に示すようなジョイスティック４８を用いる場合には、各評価者３４は、コンテンツ再生装置３２から表示あるいは出力されるコンテンツを見たり聞いたりしながら、肯定的と思ったシーンになったときには、そのタイミングにおいて、インパクトの大きさに応じてスティックバー４７を基準位置４９より右側に操作し、否定的と思ったシーンになったときには、そのタイミングにおいて、インパクトの大きさに応じてスティックバー４７を基準位置４９より左側に操作する。非操作時には、スティックバー４７は、基準位置４９に戻る。
【００８７】
ジョイスティック４８は、このようにしてスティックバー４７が操作されると、操作方向及び操作量に応じたスコア信号を生成し、データ収集部１６に出力する。例えば、基準位置４９のスコアを５０とし、スティックバー４７を目一杯左に操作した状態のスコアを０とし、目一杯右に操作した状態のスコアを１００とする。データ収集部１６は、各ジョイスティック４８（＃１，＃２，・・・＃ｎ）から出力されたスコア信号を収集し、データ把握部１８に送る。
【００８８】
データ把握部１８は、各ジョイスティック４８からのスコア信号からスコアを把握し、把握したスコアを、このコンテンツの再生が開始されてから、各スコア信号が出力されたタイミングまでの経過時間に関連付けて、ジョイスティック４８毎のデータとしてデータ記憶装置２０に書き込み記憶させる。
【００８９】
座標変換部２２は、データ記憶装置２０に記憶された各ジョイスティック４８のスコアを用いて、図３に示すような経過時間とスコアとからなるスコアデータテーブルをジョイスティック４８毎に作成して、グラフ化部２４及びスクリプトデータ合成部２６に出力する。
【００９０】
グラフ化部２４は、座標変換部２２から出力された図３に示すようなスコアデータテーブルを用いて、経過時間をＸ軸、スコアをＹ軸としてプロットすることによってトレンドグラフを作成し、表示画面２８から表示させる。
【００９１】
スクリプトデータ合成部２６は、第１の実施の形態で説明したようにして合成データテーブルを作成し、合成表示制御部２７に出力する。
【００９２】
合成表示制御部２７は、第１の実施の形態で説明したようにしてスクリプトデータ合成部２６から出力された合成データテーブルを用いて、表示画面２８から表示されているパルスライン上における任意の経過時間におけるスピーチテキストを取得し、取得したスピーチテキストを、パルスライン上の対応する位置に関連付けて配置し、パルスラインとともに表示画面２８から表示させる。
【００９３】
ダイヤル装置４０に代えて図１０に示すような入力装置５０を用いる場合について説明する。この入力装置５０は、例えばパソコンによって構成することができ、評価者３４は、ディスプレイ５１から表示されるスコアバー５２を見ながら、マウス５４等の入力デバイスを操作することによってスコアバー５２の先端位置５３の場所を調整する。
【００９４】
この場合、各評価者３４は、コンテンツ再生装置３２から表示あるいは出力されるコンテンツを見たり聞いたりしながら、肯定的と思ったシーンになったときには、そのタイミングにおいて、インパクトの大きさに応じてマウス５４を用いてスコアバー５２の先端位置５３を図中右側に移動させ、否定的と思ったシーンになったときには、そのタイミングにおいて、インパクトの大きさに応じてマウス５４を用いてスコアバー５２の先端位置５３を図中左側に移動させる。
【００９５】
入力装置５６は、このようにしてスコアバー５２の先端位置５３が移動されると、先端位置５３の位置情報に応じたスコア信号を生成し、データ収集部１６に出力する。例えば、スコアバー５２の長さが最小になっている状態（すなわち、先端位置５３が最も左側にある状態）のスコアを０とし、最大になっている状態（すなわち、先端位置５３が右側にある状態）のスコアを１００とする。データ収集部１６は、各入力装置５６（＃１，＃２，・・・＃ｎ）から出力されたスコア信号を収集し、データ把握部１８に送る。
【００９６】
データ把握部１８は、各入力装置５６からのスコア信号からスコアを把握し、把握したスコアを、このコンテンツの再生が開始されてから、各スコア信号が出力されたタイミングまでの経過時間に関連付けて、入力装置５６毎のデータとしてデータ記憶装置２０に書き込み記憶させる。
【００９７】
座標変換部２２は、データ記憶装置２０に記憶された各入力装置５６のスコアを用いて、図３に示すような経過時間とスコアとからなるスコアデータテーブルを入力装置５６毎に作成して、グラフ化部２４及びスクリプトデータ合成部２６に出力する。
【００９８】
グラフ化部２４は、座標変換部２２から出力された図３に示すようなスコアデータテーブルを用いて、経過時間をＸ軸、スコアをＹ軸としてプロットすることによってトレンドグラフを作成し、表示画面２８から表示させる。
【００９９】
スクリプトデータ合成部２６は、第１の実施の形態で説明したようにして合成データテーブルを作成し、合成表示制御部２７に出力する。
【０１００】
合成表示制御部２７は、第１の実施の形態で説明したようにしてスクリプトデータ合成部２６から出力された合成データテーブルを用いて、表示画面２８から表示されているパルスライン上における任意の経過時間におけるスピーチテキストを取得し、取得したスピーチテキストを、パルスライン上の対応する位置に関連付けて配置し、パルスラインとともに表示画面２８から表示させる。
【０１０１】
以上説明したように、第１の実施の形態に係るコンテンツ評価結果分析装置におけるダイヤル装置４０に代えて、図８に示すようなテンキー式入力装置４６や、図９に示すようなジョイスティック４８や、図１０に示すような入力装置５０を用いても、第１の実施の形態に係るコンテンツ評価結果分析装置におけるダイヤル装置４０と同様の作用効果を奏することが可能となる。
【０１０２】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１０３】
【図１】第１の実施の形態に係るコンテンツの評価結果分析方法を適用したコンテンツ評価結果分析装置の構成例を示すブロック図。
【図２】スクリプトデータの一例を示す模式図。
【図３】スコアデータテーブルの一例を示す図。
【図４】パルスラインの一例を示す図。
【図５】合成データテーブルの一例を示す図。
【図６】スピーチテキストが配置されたパルスラインの一例を示す図。
【図７】各評価者からの評価結果を取得する処理の流れを示すフローチャート。
【図８】テンキー式入力装置の外観の一例を示す正面図。
【図９】ジョイスティックの外観の一例を示す斜視図。
【図１０】入力装置の一例を示す概念図。
【図１１】スコアデータテーブルの一例を示す図。
【図１２】ダイヤル装置の構成例を示す外観図。
【図１３】従来技術で得られるトレンドグラフの一例を示す図。
【図１４】トレンドグラフの一例及びその部分詳細図。
【符号の説明】
【０１０４】
１０…コンテンツ評価結果分析装置
１２…テキスト化部
１４…スクリプトデータ記憶装置
１６…データ収集部
１８…データ把握部
２０…データ記憶装置
２２…座標変換部
２４…グラフ化部
２６…スクリプトデータ合成部
２７…合成表示制御部
２８…表示画面
３０…コンテンツデータ記憶装置
３２…コンテンツ再生装置
３４…評価者
４０…ダイヤル装置
４２…ダイヤル
４４…基準位置
４６…テンキー式入力装置
４７…スティックバー
４８…ジョイスティック
４９…基準位置
５０…入力装置
５１…ディスプレイ
５２…スコアバー
５３…先端位置
５４…マウス
【図１】
2006270515.tif 000003
【図２】
2006270515.tif 000004
【図３】
2006270515.tif 000005
【図４】
2006270515.tif 000006
【図５】
2006270515.tif 000007
【図６】
2006270515.tif 000008
【図７】
2006270515.tif 000009
【図８】
2006270515.tif 000010
【図９】
2006270515.tif 000011
【図１０】
2006270515.tif 000012
【図１１】
2006270515.tif 000013
【図１２】
2006270515.tif 000014
【図１３】
2006270515.tif 000015
【図１４】
2006270515.tif 000016